(57)【要約】【課題】頂部に薄膜蓋が糊付けされたカップ麺容器を収納するホルダー本体の開口端面から離れた位置で蓋体の裏面と前記カップ麺容器の頂部が当接し前記蓋体はカップ麺容器の外径の差異に係らず常に同一条件で前記薄膜蓋を押圧して前記開口端面との間隙を密着しスープ漏れ阻止を実現するカップ麺ホルダーを提供すること。【解決手段】アルミ製もしくは耐水紙製の薄膜蓋が上面に糊付けされたカップ麺容器を中心部に嵌着保持する逆円錐台筒状部の大なる直径側の端部に円筒部が連接した空洞状の本体と前記カップ麺容器の頂部を前記本体の開口端面から離れた位置で裏面に当接して前記本体に係止する覆蓋手段を有す蓋体を具備する弾力性復元性に富む樹脂を素材とするホルダーであって、前記逆円錐台筒状部の小なる直径側は複数の切込みで反曲可能に略等分割形成された板バネ状片が前記カップ麺容器の側部外周面に弾力的に反発しつつ当接する環状の側壁部を形成する。【選択図】図１
2016166034.tif 000002
【特許請求の範囲】
【請求項１】
アルミ製もしくは耐水紙製の薄膜蓋が上面に糊付けされたカップ麺容器を中心部に嵌着保持する逆円錐台筒状部の大なる直径側の端部に円筒部が連接した空洞状の本体と前記カップ麺容器の頂部を前記本体の開口端面から離れた位置で裏面に当接して前記本体に係止する覆蓋手段を有す蓋体を具備する弾力性復元性に富む樹脂を素材とするホルダーであって、前記逆円錐台筒状部の小なる直径側は複数の切込みで反曲可能に略等分割形成されて周設する板バネ状片が前記カップ麺容器の側部外周面に弾力的に反発しつつ当接する環状の側壁部を形成することを特徴とするカップ麺ホルダー。
【発明の詳細な説明】
【技術分野】
【０００１】
本発明はカップ麺ホルダーに関する。
【背景技術】
【０００２】
カップ麺に代表されるカップ入り食品はその経済性や携行性などの利便性から今日では一般生活には不可欠な存在になっており、家庭や職場、アウトドアレジャーなど多様な環境下で利用されている。各食品メーカーの弛まぬ研究により品質の向上と共に麺の種類も飛躍的に増大し将来的にも需要は鈍化することなく成長し続けることが予想されるが、その使用方法に関しては容器の頂部に糊付けされた薄膜蓋を半分ほど剥がしてその開口部から熱湯を注いだ後再度閉じて飲食可能まで数分間待つという形態がカップ麺の誕生以来踏襲され今日に至っている。数分間の短時間とはいえ事務机や作業台など手狭な場所に無造作に放置されたカップ麺容器は移動中の人や物の接触で簡単に転倒し致命的な被害をもたらす危険性が極めて高い。スペース的に余裕があれば比較的問題にならないスープ漏れ事故も今日では電子機器に囲まれた職場や作業場での飲食を余儀なくされる機会も多く前記事故回避対策の重要性は従来同様に今後も一層増大すると予測されるがこれらの事故対処法は飲食する当事者の注意力に全てが委ねられているのが実情である。しかし簡便性と安価な経済性を最大の特徴とする商品に敢えて煩わしい対策を自費で講じることへの抵抗感は大きくまたカップ麺誕生から今日に至るまでの長期間に定着してしまった旧態依然の飲食習慣を変更する壁は高くこれを払拭するには技術的な実効性と同時に消費者を魅了するレベルの意匠や低価格などの技術的効果以外の要件も新たな必須条件になっている。スープ漏れ被害対策に特化した用具としては本出願人の特許第４１８２４９３号のカップ麺ホルダーおよび特願２００８−１７９３６８のカップ食品ホルダーがある。いずれも注湯したカップ麺容器の頂部に近い側部外周面をカップ状に形成されたホルダー本体の上部開口端内周縁部に嵌着した状態で蓋体を被せてロックすると前記カップ麺容器の頂部は蓋体に上から押圧されて注湯時に一部を剥がした薄膜蓋と開口端面との間隙が強固に密着しスープ漏れが実現される。この時、カップ麺容器の頂部はホルダーの開口端面から一部が突出した状態になるが、一見外径が同一寸法とみなせるカップ麺容器もメーカー間で微妙に異なるためこれら外径が異なる容器を内径が一定のホルダー本体の上部開口端内周縁部に嵌着した場合にはカップ麺容器の頂部が前記ホルダーの開口端面から突出する量にバラツキが生じる。前記バラツキの不具合は上部を被覆する蓋体をその内側に突設された突起体を本体外周部に形成された係止溝に摺動させるように回転しながら飲食者自身の勘を頼りに適切と思われる位置まで下方にずらしつつ弾性体の伸縮量を調整し本体にロックする操作で解消しているがこの操作はホルダー使用者の指先で感じる触感に委ねられている。しかしスープ漏れ阻止のためのこの操作には弾性体の伸縮量の変化と前記薄膜蓋に対する押圧力の変動が伴うためホルダー使用者間で調整量に差が生じるがこの現象は安全性の観点から改善されるべき課題である。前記カップ麺容器の頂部の突出量のバラツキを全て吸収する手段としては蓋体を本体に被覆した状態で前記蓋体と本体の係止位置がいかなる場合にも設定区間内に実現する十分な深さの蓋体が必要となるが、美観も重視される蓋体には許容される高さの限界もあるためあらゆる場合に備えた係止溝を具備した蓋体を想定することは困難である。また前記ホルダー開口側に着脱自在のリングを取り付けて擬似的に内径を変更し前記カップ麺頂部の突出量のバラツキを平均化することは可能ではあるが、カップ麺容器毎のリング交換は利用者にとっては煩わしい操作であり非現実的対処法である。従って、前記カップ麺頂部の突出量が変動する現象は蓋体の係止位置と蓋体の全高の決定に関しても大きな不安定要因でありホルダー使用者の個人的経験や指先の感性に左右されない安定したスープ漏れ阻止操作の実現が待望されている。
【先行技術文献】
【特許文献】
【０００３】
【特許文献１】特許第４１８２４９３号
【特許文献２】特開２００８−１７９３６８
【０００４】
特許文献１に開示されたものは本出願人に係るカップ麺ホルダーの例であり、図２では下部に弾性体を設けた円筒状の本体にカップ麺容器９を収納し上部に蓋２をかぶせて押し下げてロックするとカップ麺容器９の上面に糊付けされた薄膜状の蓋１０は上方から強く押圧され前記カップ麺容器の端面との間隙を強固に密封しスープ漏れ防止が実現することを開示している。図４では弾性体を内側に具備した蓋２の内周面下部に突設した突起体７ａ、７ｂと本体１の上部円筒部の外周面に設けられた係止溝６ａ、６ｂがロック機構を形成し本体１に収納するカップ麺容器９の全高に応じて２段階のロック調整が可能であることを開示している。図６は前記係止溝の形状例を示しているが（b）では係止溝が開口端面から斜め下方に傾斜しており蓋側の突起体がカップ麺容器の全高に応じて任意の位置で係着し無段階でロック調整が可能である事を開示している。図７は弾性体の形状例を示しており弾性体は本体の底部または蓋体の裏面のいずれに設けることも可能である事を開示している。図８は頂部の外径が共通で容器の下方を欠切して全高を低くした形状の容器でも共通に使用可能な本体例を開示した例であり、図９ではホルダー本体の底部を解放し容器の高さ制限を解除していることを開示している。
【０００５】
特許文献２に開示されたものは前記特許文献１を補足したもので主に外径が微妙に異なるカップ麺容器をホルダーに嵌着した時に頂部がホルダーの開口端面から突出する量のバラツキを調整するための多様なリング例が開示されている。図８（ｂ）は内周面に段差を設けた調整リングの断面を示し上下を反転することにより１つのリングで本体開口端面に２種類の内径を実現している。このリングを使用する段階で収納するカップ麺容器の外径の差に起因する頂部の突出量のバラツキを近似した範囲に収めることで蓋体の上下の移動距離のバラツキも平均化され単一のホルダーで外径の異なる容器の保持が可能になることが開示されている。
【発明の概要】
【発明が解決しようとする課題】
【０００６】
そこで本発明が解決しようとする課題は、カップ麺容器を収納するホルダー本体の開口端面から常に一定の距離だけ離れた高さの位置で蓋体と前記カップ麺容器の頂部が当接し、前記蓋体がカップ麺容器の頂部に糊付けされている薄膜蓋をカップ麺容器の外径の差異に係らず略同等な状況で押圧して開口端面との間隙を密着しスープ漏れ阻止を実現するカップ麺ホルダーを提供することである。
【課題を解決するための手段】
【０００７】
課題を解決するための手段としての請求項１に記載のカップ麺ホルダーは、アルミ製もしくは耐水紙製の薄膜蓋が上面に糊付けされたカップ麺容器を中心部に嵌着保持する逆円錐台筒状部の大なる直径側の端部に円筒部が連接した空洞状の本体と前記カップ麺容器の頂部を前記本体の開口端面から離れた位置で裏面に当接して前記本体に係止する覆蓋手段を有す蓋体を具備する弾力性復元性に富む樹脂を素材とするホルダーであって、前記逆円錐台筒状部の小なる直径側は複数の切込みで反曲可能に略等分割形成されて周設する板バネ状片が前記カップ麺容器の側部外周面に弾力的に反発しつつ当接する環状の側壁部を形成することを特徴とする。前記本体の開口端面から離れた位置とは唇が本体開口端部に当接しても不快感なく飲食が可能に設定される固定の距離となるが覆蓋手段その他で制約が発生した時には変更が許容される値である。
【発明の効果】
【０００８】
前記の発明によれば、カップ麺容器を本体上部の円筒部の中心にセットして下方に押嵌する時に板バネ状片から受ける力は板バネ状片の素材に起因する反曲時の復元力であり略同径のカップ麺容器であれば各カップ麺容器の外周面が板バネ状片から受ける圧力は略同圧と見做せるものであり、蓋体と本体の位置関係が固定される本発明では直径の異なるカップ麺容器であっても薄膜蓋と本体開口端面との間隙はいずれの場合も略同等の押圧力で塞がれるスープ漏れ阻止が安定的に実現する。
【図面の簡単な説明】
【０００９】
【図１】本特許の一実施例図で（ａ）は全体の斜視図（ｂ）は使用中の斜視図。
【図２】板バネ状片とカップ麺容器側部との関係を示す概略図。
【図３】本特許の他の実施例図。
【発明を実施するための形態】
【実施例】
【００１０】
図１は本特許の一実施例図で（ａ）は全体の斜視図（ｂ）は使用中の斜視図を示すが図１（ｂ）を参考にしつつ図１（ａ）を主にして説明すると、カップ麺容器９の収納部である逆円錐台筒状部１はその小なる直径側の側部が複数の切込み２、２、２、２で外側に反曲可能に環状に略等分割され、その略等分割されて形成される縦長の板バネ状片１０１、１０１、１０１、１０１、１０１、１０１は収納するカップ麺容器の側部外周面に当接してその当接面を弾力的に中心方向斜め上方に反発可能に下方が内側に絞られた形状で環状に周設している。前記逆円錐台筒状部１の大なる直径側には円筒部３が連設して前記逆円錐台筒状部１と共に本体４を形成している。前記円筒部３の上端部にはヒンジ５が連設しこのヒンジ５を介して開閉自在の蓋体６が本体４に一体的に形成されている。蓋体６の前記ヒンジ５とは反対側の側部内側にはこれと一対で係止機構を形成する前記円筒部３の外周に突設された小突起３１が係止する小凹部６１が設けられ、ヒンジ５を支点にして蓋体６を回転しながら本体４に押し付けると小突起３１と小凹部６１が係止し蓋体６は本体４にロックされる。前記本体４の側部にはグリップ７が一体的に形成されていて本体４と蓋体６とグリップ７で完成されたホルダー８を構成している。なお前記ホルダー８は蓋体が本体に一体的に形成され且つ弾性体、本体内径調整用のリングは不要なため１工程で製造可能な構造体を実現している。
【００１１】
図２は前記板バネ状片１０１とカップ麺容器９の側部との関係の概念を示す概略図で、破線はカップ麺容器９の外形を示し左図はカップ麺容器挿入前、右図は挿入後の板バネ状片１０１の位置を実線で示してある。環状に周設形成された前記板バネ状片１０１はカップ麺容器９が収納される前にはカップ麺容器の側部より内側に設定されており、カップ麺容器９が収納されると外側に押し広げられて反曲しカップ麺容器９の外周面に係着するが、この時外周に沿って環状に細矢印１０方向に反発力が生じその結果カップ麺容器９は上向きの太矢印１１方向に押し上げられて上から被せられる蓋体６の裏面に押し付けられ結果的にカップ麺容器９の頂部は下向きの白抜き矢印１２方向に押圧されるため、カップ麺容器９の開口端面とこれを塞ぐ薄膜蓋との間隙も強固な密着状態になる。なお、前記板バネ状片１０１が反曲することで生じる反発力は少なくてもカップ麺容器が熱湯を含めた自重で下方に落ち込まない強度に設定される。
【００１２】
図３は蓋体と本体が独立して構成されたホルダーの実施例を示す斜視図で、切込み２１の形状を波形にした結果として残る板バネ状片１０２も輪郭が滑らかな波形に形成されている。蓋体６３の内周面下部には小突起体６４が突設し本体４１側円筒部３２の外周面に形成された係止溝の段差部３３に係止し本体４１の開口端面から一定の距離分だけ離れた位置で蓋体６３の裏面と収納するカップ麺容器の頂部が当接することを可能にしている。蓋体と本体が独立している本実施例と一体的に形成されたホルダーとの差異は飲食時に蓋体を外して使用するか否かの利便性の問題と意匠および構成部品が単一か否かの違いによる製作工数の差異による製造コストにありスープ漏れ阻止の機能に関しては概ね同等とみなせるものであるが本発明では蓋体の本体に対する覆蓋手段は問わないものとする。
【符号の説明】
【００１３】
１        逆円錐台筒状部
２        切込み
３        円筒部
４        本体
６        蓋体
１０１    板バネ状片
【図１】
2016166034.tif 000003
【図２】
2016166034.tif 000004
【図３】
2016166034.tif 000005